(57)【要約】【課題】ベゼルレス式のフロッピーディスクドライブの前面の開放部からの塵埃の侵入を防止すること。【解決手段】フロッピーディスクドライブ１０の前面１１の開放部に取付けられ塵埃の侵入を防止するサブベゼル１を配設し、ベゼルレス式のフロッピーディスクドライブ１０の前面の開放部からの塵埃の侵入を防ぐようにしたもの。【選択図】　　　図１
2004110899.tif 000002
【特許請求の範囲】
【請求項１】
フロッピーディスクを回転駆動位置にセットして駆動するフロッピーディスクドライブの前面にベゼルを設けないベゼルレス式のフロッピーディスクドライブであって、前記フロッピーディスクドライブの前面の開放部に取付けられ塵埃の侵入を防止するサブベゼルを配設したことを特徴とするベゼルレス式フロッピーディスクドライブの防塵装置。
【請求項２】
前記サブベゼルに、ＬＥＤからの光を通すための開口部と、ディスク取り出し用のボタンが遊挿されるボタン遊挿部とを設けたことを特徴とする請求項１に記載のベゼルレス式フロッピーディスクドライブの防塵装置。
【請求項３】
前記サブベゼルに、前記フロッピーディスクドライブに対し挿脱される前記フロッピーディスクの通過経路に臨み、前記フロッピーディスクとの接触により彎曲される防塵部材を貼着したことを特徴とする請求項１または請求項２に記載のベゼルレス式フロッピーディスクドライブの防塵装置。
【請求項４】
前記サブベゼルを配設したフロッピーディスクドライブが内蔵されているパーソナルコンピュータの筐体における前壁の裏面と前記フロッピーディスクドライブの前面との間に弾性材料からなる防塵部材を介装したことを特徴とする請求項１ないし請求項３のいずれか１項に記載のベゼルレス式フロッピーディスクドライブの防塵装置。
【発明の詳細な説明】
【０００１】
【発明の属する技術分野】
本発明は、フロッピーディスクを駆動するフロッピーディスクドライブにおいて前面にベゼルを配設しないベゼルレス式フロッピーディスクドライブに係り、特に、フロッピーディスクドライブの前面の開放部にサブベゼルを配設したベゼルレス式フロッピーディスクドライブの防塵装置に関する。
【０００２】
【従来の技術】
従来、パーソナルコンピュータ（以下ＰＣ）に内蔵されており、フロッピーディスク（以下ＦＤ）を駆動するフロッピーディスクドライブ（以下ＦＤＤ）には、前面のほぼ全域を被覆するベゼルを配設したもの（例えば、特許文献１参照）と、このようなベゼルを配設していないものの２種類があった。
【０００３】
【特許文献１】
特開平１１−１２０７５２号公報（段落
【０００８】、図１）
【０００４】
【発明が解決しようとする課題】
従来のＰＣに内蔵されるＦＤＤにおいて、前記ＰＣの内部冷却用ファンの回転により前記ＰＣの前面から内部の後方へ向けて空気が流れることにより、特にベゼルレス式のＦＤＤにおいては前記ＦＤＤの前面の開放部より塵埃が侵入し、動作不良が生じるおそれのあることが指摘されていた。
【０００５】
本発明はこのような問題点に鑑みてなされたもので、ベゼルレス式のＦＤＤの前面の開放部からの塵埃の侵入を防止することのできるベゼルレス式ＦＤＤの防塵装置を提供することを目的とする。
【０００６】
【課題を解決するための手段】
前述した目的を達成するため本発明のベゼルレス式ＦＤＤの防塵装置の特徴は、ＦＤを回転駆動位置にセットして駆動するＦＤＤの前面にベゼルを設けないベゼルレス式のＦＤＤであって、前記ＦＤＤの前面の開放部に取付けられ塵埃の侵入を防止するサブベゼルを配設した点にある。そして、このような構成を採用したことにより、ベゼルレス式のＦＤＤの前面の開放部からの塵埃の侵入を防ぐことができる。
【０００７】
本発明の他のベゼルレス式ＦＤＤの防塵装置の特徴は、前記サブベゼルに、ＬＥＤからの光を通すための開口部と、ディスク取り出し用のボタンが遊挿されるボタン遊挿部とを設けた点にある。そして、このような構成を採用したことにより、サブベゼルを設けてもＦＤＤの本来の機能を損なうおそれがない。
【０００８】
本発明のさらに他のベゼルレス式ＦＤＤの防塵装置の特徴は、サブベゼルに、ＦＤＤに対し挿脱されるＦＤの通過経路に臨み、前記ＦＤとの接触により彎曲される弾性部材を貼着した点にある。そして、このような構成を採用したことにより、塵埃の侵入をより確実に防止することができる。
【０００９】
本発明のさらに他のベゼルレス式ＦＤＤの防塵装置の特徴は、サブベゼルを配設したＦＤＤが内蔵されているＰＣの筐体における前壁の裏面とＦＤＤの前面との間に弾性材料からなる防塵部材を介装した点にある。そして、このような構成を採用したことにより、塵埃の侵入をより確実に防止することができる。
【００１０】
【発明の実施の形態】
図１および図２は、本発明に係るベゼルレス式ＦＤＤの防塵装置の第１実施形態を示す図である。
【００１１】
ベゼルレス式ＦＤＤ１０の本体１１の前面１２のほぼ上半部には、手前前方に回動して開放される回動自在な蓋部材１３が水平方向に延在する支持軸１４により支持されており、この蓋部材１３が、前記支持軸１４に巻回されたコイルばね１５により鉛直面内に位置する閉方向に常時付勢されている。この蓋部材１３の背部となる前記ＦＤＤ本体１１内には、ＦＤを収納するＦＤ収納部（図示せず）が形成されている。また、前記ＦＤＤ本体１１の前面１２の下半部は空洞部１６とされており、この下半部右側には、前記ＦＤ収納部内に収納されているＦＤを排出する際に使用されるボタン１７が突設されている。
【００１２】
一方、本発明に係るベゼルレス式ＦＤＤ１０の防塵装置として使用されるサブベゼル１は、横方向に長尺とされたほぼ平板状の被覆部２と、この被覆部２の両端において９０度の角度をもって同方向に屈曲されている１対の被係合部３，３とにより構成されている。
【００１３】
前記被覆部２の縦方向寸法は、前記ＦＤＤ本体１１の前面１２の下半部を被覆しうる高さとされている。また、前記各被係合部３は、前記被覆部２より全体的に多少高い位置となるように前記被覆部２に接続されている。そして、前記ＦＤＤ本体１１のシャーシ１８の内側には前記蓋部材１３の両外側に位置するスリット１９，１９が前記空洞部１６と連通するように形成されており、各スリット１９内に前記サブベゼル１の対応する被係合部３が挿入されるようになっている。なお、前記各スリット１９内に対向するシャーシ１８には、上下方向に間隔を隔てて１対の突起（図示せず）が突設されており、各突起にサブベゼル１の各被係合部３の開口４が嵌合してサブベゼル１がＦＤＤ本体１１に装着されるようになっている。この状態において前記サブベゼル１の被覆部２の前面２Ａの多くの部分は、前記ＦＤＤ本体１１の前面１２とほぼ面一をなすようになっており、前記サブベゼルを配設していない従来のベゼルレス式ＦＤＤと同様に、ＰＣ筐体に組込むことができる。
【００１４】
ところで、前記サブベゼル１の各被係合部３の開口４が嵌合される前記シャーシ１８に形成されている図示しない前記突起は、ベゼル装着用としてシャーシ１８に通常形成されているものであり、このために新たに突起を形成する必要はない。
【００１５】
また、前記サブベゼル１の被覆部２には、前記ＦＤＤ１０が動作中であることを示すＬＥＤの光を透過させる開口部としての円形孔５が形成されている。
【００１６】
さらに、前記ＦＤＤ１０のボタン１７に対向する部位の前記被覆部２には、このボタン１７を被覆部２の前方に臨ませるためのボタン遊挿部としての凹部６が形成されている。なお、この凹部６の外周側となる前記被覆部２は、図３に示すように、前記ボタン１７に安定的に当接しないようにするため手前側に突出させる突出部７を形成してもよい。
【００１７】
図１および図２に戻って、前記円形孔５と前記凹部６の間の前記被覆部２の前面には、前記ＦＤＤ１０の蓋部材１３やＦＤなどを指により操作しやすくするための上向きに順次後退する傾斜面８が形成されている。
【００１８】
前述した本実施形態の構成によれば、ベゼルがＦＤＤ本体１１の前面１２を被覆していないベゼルレス式ＦＤＤ１０において、蓋部材１３により被覆されていない前面１２の下半部がサブベゼル１により被覆されているので、このＦＤＤ本体１１が搭載されているＰＣの内部に配設されているファン（図示せず）により前記前面１２からの空気の吸引が行われにくくなり、この結果、ＦＤＤ本体１１内への塵埃の侵入を防止することができる。このサブベゼル１は、ＦＤＤ本体１１の前面１２のほぼ全域を被覆するベゼルと較べて小型なので、製造コストも安価とすることができる。
【００１９】
さらに、サブベゼル１の被覆部２の前面２Ａが前記ベゼルレス式ＦＤＤ１０のＦＤＤ本体１１の前面１２と面一になるので、このサブベゼル１が障害になりにくい。
【００２０】
図４および図５は、本発明に係るベゼルレス式ＦＤＤの防塵装置のさらに他の実施形態を示す図である。
【００２１】
本実施形態のサブベゼル１Ａの基本的構成は図１のものと同様であり、図１のものと異なるのは、被覆部２の背面２Ｂに被覆部２の上方に突出するスポンジのような弾性材料からなる平板状の防塵部材９を貼着した点である。この防塵部材９は、ＦＤＤ１０に対し挿脱されるＦＤ２０の通過経路に臨むようになっている。
【００２２】
そして、このような防塵部材９を配設したことにより、ＦＤＤ１０にＦＤ２０を挿入すると、防塵部材９が彎曲してＦＤ２０の下面に圧接することになる。したがって、蓋部材１３により被覆されていない前面１２の下半部がサブベゼル１により被覆されるとともに、防塵部材９がＦＤＤ１０に挿入されたＦＤ２０の下面に圧接されるので、このＦＤＤ本体１１が搭載されているＰＣの内部に配設されているファン（図示せず）により前記前面１２からの空気の吸引がさらに行われにくくなり、この結果、ＦＤＤ本体１１内への塵埃の侵入をより確実に防止することができる。
【００２３】
図６は、本発明に係るベゼルレス式ＦＤＤの防塵装置のさらに他の実施形態を示す図である。
【００２４】
本実施形態においては、ＦＤＤ本体１１の外周側に位置するＰＣ筐体２１の前壁２２には、ＦＤＤ本体１１の前面を露出するための前面開口２３が形成されている。そして、この前面開口２３の上方および下方には、前記ＦＤＤ本体１１の前面との間にそれぞれスポンジのような弾性材料からなる平板状の防塵部材９Ａが多少圧縮されるようにして介装されている。
【００２５】
このような構成を前述した図１ないし図５にそれぞれ示した他の実施形態の構成と組み合わせることにより、各防塵部材９Ａによりさらに空間が遮蔽されるので、塵埃の侵入をより確実に防止することができる。
【００２６】
なお、本発明は、前述した実施の形態に限定されるものではなく、必要に応じて種々の変更が可能である。
【００２７】
【発明の効果】
以上説明したように本発明のベゼルレス式ＦＤＤの防塵装置によれば、ベゼルレス式のＦＤＤの前面の開放部からの塵埃の侵入を防止することができる。
【００２８】
すなわち、ＦＤＤの前面の開放部に取付けられ塵埃の侵入を防止するサブベゼルを配設したので、ベゼルレス式のＦＤＤの前面の開放部からの塵埃の侵入を防いで防塵性を従来より向上することができる。
【００２９】
また、前記サブベゼルに、ＬＥＤからの光を通すための開口部と、ディスク取り出し用のボタンが遊挿されるボタン遊挿部とを設ければ、サブベゼルを設けてもＦＤＤの本来の機能を損なうおそれがない。
【００３０】
さらに、サブベゼルに、ＦＤＤに対し挿脱されるＦＤの通過経路に臨み、前記ＦＤとの接触により彎曲される弾性部材を貼着すれば、塵埃の侵入をより確実に防止することができる。
【００３１】
さらにまた、サブベゼルを配設したＦＤＤが内蔵されているＰＣの筐体における前壁の裏面とＦＤＤの前面との間に弾性材料からなる防塵部材を介装すれば、塵埃の侵入をより確実に防止することができる。
【図面の簡単な説明】
【図１】本発明に係るベゼルレス式ＦＤＤの防塵装置の第１実施形態を示す分解斜視図
【図２】図１のサブベゼルをＦＤＤに装着した状態を示す正面図
【図３】本発明に係るベゼルレス式ＦＤＤの防塵装置の第２実施形態を示す分解斜視図
【図４】本発明に係るベゼルレス式ＦＤＤの防塵装置の第３実施形態を示す分解斜視図
【図５】図４の縦断面図
【図６】本発明に係るベゼルレス式ＦＤＤの防塵装置の第４実施形態を示す要部の縦断面図
【符号の説明】
１，１Ａ　サブベゼル
２　被覆部
２Ａ　被覆部２の前面
３　被係合部
４　開口
５　円形孔（開口部）
６　凹部（ボタン遊挿部）
８　傾斜面
９，９Ａ　被覆部材
１０　ベゼルレス式フロッピーディスクドライブ（ＦＤＤ）
１１　フロッピーディスクドライブ本体（ＦＤＤ本体）
１２　前面
１３　蓋部材
１６　空洞部
１７　　ボタン
１８　　シャーシ
１９　　スリット
２０　フロッピーディスク（ＦＤ）
２１　パーソナルコンピュータ（ＰＣ）の筐体
２２　ＰＣ筐体２１の前壁
２３　前面開口
【図１】
2004110899.tif 000003
【図２】
2004110899.tif 000004
【図３】
2004110899.tif 000005
【図４】
2004110899.tif 000006
【図５】
2004110899.tif 000007
【図６】
2004110899.tif 000008